(57)【要約】【課題】戸の閉動作のみで施錠され、戸の開動作のみで解錠されるサッシ用錠装置を提供する。屋外側で閉めるときは施錠されず、常に戸を開けることができるようにしたサッシ用錠装置を提供する。【解決手段】  縦枠戸当り面に突設されたフックと、戸先側縦框に取付けられ、戸閉時にフックに係止されるラッチと、戸先側縦框に取付けられ、縦枠方向に付勢され、室内側から操作可能な手掛け部材と、手掛け部材を縦枠から遠ざかる方向に移動した時、手掛け部材に連動してラッチをフックに係止可能位置からその係止解除可能位置に移動させるテーパ付きブロックとからなる。【選択図】図４
2009243146.tif 000002
【特許請求の範囲】
【請求項１】
窓枠の縦枠の戸当り面に突設されたフックと、引戸の戸先側縦框に取付けられ、その引戸を閉めた時に前記フックに係止されるラッチと、前記戸先側縦框に前記縦枠に対して遠近移動可能に取付けられ、前記縦枠に接近する方向に付勢され、室内側から操作可能な手掛け部材と、前記手掛け部材を前記縦枠から遠ざかる方向に移動した時、その手掛け部材に連動して前記ラッチを前記フックに係止可能な位置からその係止の解除が可能な位置に後退させる支持部材とからなるサッシ用錠装置。
【請求項２】
ラッチは、フック方向に面する傾斜面とその傾斜面の端部に連なる係止あごとを有して、支持部材の先端に設けられ、その支持部材はラッチがフックに係止可能な位置に向けて付勢され、引戸を閉めた時は前記傾斜面にフックが当たってラッチが係止の解除が可能な位置に後退させられ、戸をさらに閉めた時は前記係止あごがフックに係止することにより施錠され、
前記支持部材は、縦枠から手掛け部材よりも遠い位置において前記フック方向に面する傾斜面を備えた受動片を有し、前記手掛け部材を引戸の戸先側縦框に対して縦枠から離れる方向に移動した時に前記受動片の傾斜面が押されて、前記ラッチを前記フックに対する係止の解除が可能な位置に後退させることにより解錠されることを特徴とする請求項１に記載のサッシ用錠装置。
【請求項３】
ラッチと、支持部材と、その支持部材を前記ラッチが係止可能な位置に付勢する付勢部材と、手掛け部材と、その手掛け部材を定位置に付勢する付勢部材とは、一つの錠箱内に取付けられ、その錠箱は、戸先側縦框の室内側部分に取付けられ、かつ、縦枠側に引戸が閉められたときにフックが進入する開口を有し、かつ、前記手掛け部材を縦枠に対して遠近移動可能に収容する、室内側に開口する凹部を有することを特徴とする請求項１，２に記載のサッシ用錠装置。
【請求項４】
窓枠の縦枠の戸当り面に突設され、上面に開口する凹部を有するフックと、
引戸の戸先側縦框の室内側に取付けられ、前記縦枠側に開口する凹部を有する錠箱と、  ブロック状に形成されて、その錠箱内に前記凹部の上側において昇降自在に保持され、下端部にフック方向に面する傾斜面を有するとともに、前記縦枠から遠い側ほど低くなる傾斜孔を有し、前記凹部に突出するように付勢されているラッチと、
前記錠箱の前記ラッチに対して前記縦枠と反対側に室内側から操作可能に設けられ、前記縦枠に対して遠近移動可能に備えられた手掛け部材と、
前記手掛け部材を前記縦枠方向に付勢する付勢部材と、
一端部が前記ラッチの傾斜孔に摺動自在に挿通した軸と結合され、他端部が前記手掛け部材にその手掛け部材の前記縦枠から遠ざかる方向の移動にのみ連動するように連繋されている連繋部材と、
からなるサッシ用錠装置。
【請求項５】
ラッチを付勢する付勢部材と手掛け部材を付勢する付勢部材との一方で他方を兼ねていることを特徴とする請求項４に記載のサッシ用錠装置。
【請求項６】
窓枠の縦枠の戸当り面に突設されたフックと、
引戸の戸先側縦框の中に室内外方向に移動自在に設けられ、室内外方向のいずれか一方に付勢されている支持部材と、
前記戸先側縦框の室内面に前記縦枠に対して遠近方向に移動可能に、かつ、移動後に前記縦枠に対して遠近方向の中間位置に復帰するように取り付けられ、前記縦枠から遠ざかる方向に移動された時及び前記縦枠に近付く方向に移動された時は、前記支持部材を定位置からその付勢方向と逆方向に移動させる手掛け部材と、
前記支持部材の前記縦枠に近い側の端部に、前記フックと対向する高さにおいて設けられ、前記支持部材の定位置において前記フックの前記戸先側縦框内への進入を邪魔する位置に保持され、前記手掛け部材が前記縦枠に近付く方向に移動されて前記支持部材が前記付勢方向と逆方向に移動された時に前記フックの前記戸先側縦框内への進入を許容する位置に移動される邪魔部材と、
前記支持部材の前記縦枠に近い側の端部に前記フックと対向する高さであって、前記邪魔部材と異なる高さにおいて設けられ、前記支持部材の定位置において前記フックに係止可能な位置に保持され、前記手掛け部材が前記縦枠から遠ざかる方向に移動されて前記支持部材が前記付勢方向と逆方向に移動された時に前記フックとの係止の解除が可能な位置に移動されるラッチと、
を有し、
前記フックと、前記支持部材と、前記手掛け部材と、前記邪魔部材とで施錠阻止機構が構成され、前記フックと、前記支持部材と、前記手掛け部材と、前記ラッチとで施錠機構が構成されていることを特徴とするサッシ用錠装置。
【請求項７】
引戸の戸先側縦框の室内側に、縦枠側に開口を有し、室内側に開口する凹部を有する錠箱を取り付けるとともに、その錠箱の前記凹部にその錠箱内に突出する作用片を有する手掛け部材を縦枠に対して遠近方向に移動可能に、かつ、遠近方向の中間位置に復帰されるように取り付け、支持部材を室内方向に付勢して設け、邪魔部材を前記支持部材が定位置に存在する時に前記錠箱内の前記開口を塞ぐ位置に設け、前記支持部材の室内面に、前記手掛け部材を前記縦枠に近付く方向又は前記縦枠から遠ざかる方向に移動した時に、前記手掛け部材により押されて前記支持部材を付勢力に抗して室外方向に移動させるテーパ付きブロックを設け、フック方向に面する傾斜面とその傾斜面の端部に連なる係止あごとを備えたラッチを前記支持部材の縦枠側の端部に設け、
引戸を閉めた時は、前記フックが前記ラッチの傾斜面に当たってそのラッチを前記フックとの係止を解除可能な位置に移動させ、引戸をさらに閉めた時は前記係止あごを前記フックに係止することにより施錠され、
引戸を開ける時は、前記手掛け部材を前記縦枠から遠ざかる方向に移動したときに前記テーパ付きブロックを介して前記ラッチを係止の解除が可能な位置に移動させることにより解錠されることを特徴とする請求項６に記載のサッシ用錠装置。
【請求項８】
施錠阻止機構と施錠機構とからなり
前記施錠阻止機構は、
窓枠の縦枠の戸当り面に突設され、上面に開口する凹部を有するフックと、
引戸の戸先側縦框の室内側に取付けられ、前記縦枠側に開口する凹部を有する錠箱と、  ブロック状に形成されて、その錠箱内に前記凹部の上側において昇降自在に保持され、下端部に前記フック方向に面する傾斜面を有するとともに、前記縦枠から遠い側ほど低くなる傾斜孔を有して下端部が前記凹部に突出するように付勢されているラッチと、
ブロック状に形成されて、前記錠箱内に前記凹部の下側において昇降自在に保持され、前記縦枠から遠い側ほど低くなる傾斜孔を有し、上端部が前記凹部に突出するように付勢されている邪魔部材と、
前記錠箱の前記ラッチに対して前記縦枠と反対側に室内側から操作可能に設けられ、前記縦枠に対して遠近移動可能に備えられた手掛け部材と、
前記手掛け部材を前記縦枠に対して遠近両方向に付勢して中間位置に保持する付勢部材と、
前記ラッチの傾斜孔に摺動自在に挿通した軸に一端が結合され、他端が前記手掛け部材の前記縦枠と反対側において係合されている第１連繋部材と、
前記邪魔部材の傾斜孔に摺動自在に挿通した軸に一端が結合され、他端が前記手掛け部材の前記縦枠と同一側において係合されている第２連繋部材と、
からなるサッシ用錠装置。
【発明の詳細な説明】
【技術分野】
【０００１】
本発明は、引戸を閉めるだけで自動的に施錠されるサッシ用錠装置に関する。
【背景技術】
【０００２】
従来、一般的に掃き出し窓又は腰高窓等のサッシに取付けられている錠装置は、クレセント錠である。
【０００３】
クレセント錠は、施錠するには、引戸を閉めた後、クレセントを回してクレセント受けに係止する。
【０００４】
従って、クレセント錠を施錠する時は、引戸を閉める動作とクレセントを回す動作の二つの動作を必要とする。
【０００５】
閉鎖時の窓の気密性を確保するため、窓枠の縦枠の戸当り面に弾性気密材を備え、閉めた引戸がその気密材を押圧して密着するようにしてあるのが通例である。従って、引戸を普通に閉めただけでは、その引戸は弾性気密材により縦枠から離れる方向に反発されるので、クレセント錠を施錠するときは、閉める引戸を縦枠側に押し付けてクレセントをクレセント受けと位置合わせをした状態でクレセントを回す必要がある。つまり、閉めた引戸を一方の手で縦枠側に押さえ、他方の手でクレセントを回すので、いずれかの手に物を持ったままでは施錠することができない場合がある。
【０００６】
また、引戸を閉めただけでは施錠されないので、急用が生じて外出する際に、窓が閉まっているのを見て施錠されていると錯覚して、施錠をせずに外出してしまうことがあり、防犯上好ましくなかった。
【特許文献１】特になし
【発明の開示】
【発明が解決しようとする課題】
【０００７】
そこで、引戸を閉める動作のみで自動的に施錠される錠装置が待望されていた。
バス等の車両には、引戸を閉めるだけで施錠される自動施錠型錠装置を用いているものがある。しかし、この自動施錠型錠装置は、引戸を開ける時、錠装置のレバー操作が必要である。そして、車内側ばかりでなく車外側で引戸を閉めた時にも施錠されるものである。従って、上記自動施錠型錠装置をサッシに適用する場合は、例えば、屋内側から開けた掃出し窓からデッキに出た後、不用意に引戸を閉めると施錠されてしまい、意に反して、屋内側に戻れなくなる事態が生じてしまう。
【０００８】
上記の点に鑑みて、本発明は、屋内側においては、引戸を閉める動作のみで施錠されるとともに、引戸を開ける動作のみで解錠されるサッシ用錠装置を提供することを第一の目的とする。
また、本発明は、屋外側で引戸を閉めるときは施錠されないようにしたサッシ用錠装置を提供することを第二の目的とする。
【課題を解決するための手段】
【０００９】
上記第１の目的を達成するため、本発明に係るサッシ用錠装置は、（ａ）窓枠の縦枠の戸当り面に突設されたフックと、（ｂ）引戸の戸先側縦框に取付けられ、その引戸を閉めた時に前記フックに係止されるラッチと、（ｃ）前記戸先側縦框に前記縦枠に対して遠近移動可能に取付けられ、前記縦枠に接近する方向に付勢され、室内側から操作可能な手掛け部材と、（ｄ）前記手掛け部材を前記縦枠から遠ざかる方向に移動した時、その手掛け部材に連動して前記ラッチを前記フックに係止可能な位置からその係止の解除が可能な位置に後退させる支持部材とからなることを特徴としている（請求項１）。
【００１０】
上記サッシ用錠装置において、（ｂ１）ラッチは、フック方向に面する傾斜面とその傾斜面の端部に連なる係止あごとを有して、支持部材の先端に設けられ、その支持部材はラッチがフックに係止可能な位置に向けて付勢され、引戸を閉めた時は前記傾斜面にフックが当たってラッチが係止の解除が可能な位置に後退させられ、戸をさらに閉めた時は前記係止あごがフックに係止することにより施錠され、（ｄ１）前記支持部材は、縦枠から手掛け部材よりも遠い位置において前記フック方向に面する傾斜面を備えた受動片を有し、前記手掛け部材を引戸の戸先側縦框に対して縦枠から離れる方向に移動した時に前記受動片の傾斜面が押されて、前記ラッチを前記フックに対する係止の解除が可能な位置に後退させることにより解錠されることを特徴とする（請求項２）。
【００１１】
また、上記サッシ用錠装置において、ラッチと、支持部材と、その支持部材をラッチが係止可能な位置に付勢する付勢部材と、手掛け部材と、その手掛け部材を定位置に付勢する付勢部材とは、一つの錠箱内に取付けられ、その錠箱は、戸先側縦框の室内側部分に取付けられ、かつ、縦枠側に引戸が閉められたときにフックが進入する開口を有し、かつ、前記手掛け部材を縦枠に対して遠近移動可能に収容する、室内側に開口する凹部を有することを特徴とする（請求項３）。
【００１２】
また、上記第１の目的を達成するため、本発明に係る他のサッシ用錠装置は、窓枠の縦枠の戸当り面に突設され、上面に開口する凹部を有するフックと、引戸の戸先側縦框の室内側に取付けられ、前記縦枠側に開口する凹部を有する錠箱と、ブロック状に形成されて、その錠箱内に前記凹部の上側において昇降自在に保持され、下端部にフック方向に面する傾斜面を有するとともに、前記縦枠から遠い側ほど低くなる傾斜孔を有し、前記凹部に突出するように付勢されているラッチと、前記錠箱の前記ラッチに対して前記縦枠と反対側に室内側から操作可能に設けられ、前記縦枠に対して遠近移動可能に備えられた手掛け部材と、前記手掛け部材を前記縦枠方向に付勢する付勢部材と、一端部が前記ラッチの傾斜孔に摺動自在に挿通した軸と結合され、他端部が前記手掛け部材の前記縦枠から遠ざかる方向の移動にのみ連動するように連繋されている連繋部材とからなることを特徴とする（請求項４）。
【００１３】
上記サッシ用錠装置においては、ラッチを付勢する付勢部材と手掛け部材を付勢する付勢部材との一方で他方を兼ねることができる（請求項５）。
【００１４】
以上のサッシ用錠装置は、通常、室内から屋外に出ることのない窓、すなわち、腰高窓用サッシに好適なものである。以下に記載されるサッシ用錠装置は、掃き出し窓用サッシに好適なものである。
【００１５】
上記第２の目的を達成するため、本発明に係るサッシ用錠装置は、（ａ）窓枠の縦枠の戸当り面に突設されたフックと、（ｂ）引戸の戸先側縦框の中に室内外方向に移動自在に設けられ、室内外方向のいずれか一方に付勢されている支持部材と、（ｃ）前記戸先側縦框の室内面に前記縦枠に対して遠近方向に移動可能に、かつ、移動後に前記縦枠に対して遠近方向の中間位置に復帰するように取り付けられ、前記縦枠から遠ざかる方向に移動された時及び前記縦枠に近付く方向に移動された時は、前記支持部材を定位置からその付勢方向と逆方向に移動させる手掛け部材と、（ｄ）前記支持部材の前記縦枠に近い側の端部に、前記フックと対向する高さにおいて設けられ、前記支持部材の定位置において前記フックの前記戸先側縦框内への進入を邪魔する位置に保持され、前記手掛け部材が前記縦枠に近付く方向に移動されて前記支持部材が前記付勢方向と逆方向に移動された時に前記フックの前記戸先側縦框内への進入を許容する位置に移動される邪魔部材と、（ｅ）前記支持部材の前記縦枠に近い側の端部に前記フックと対向する高さであって、前記邪魔部材と異なる高さにおいて設けられ、前記支持部材の定位置において前記フックに係止可能な位置に保持され、前記手掛け部材が前記縦枠から遠ざかる方向に移動されて前記支持部材が前記付勢方向と逆方向に移動された時に前記フックとの係止の解除が可能な位置に移動されるラッチとを有し、（ｆ）前記フックと、前記支持部材と、前記手掛け部材と、前記邪魔部材とで施錠阻止機構が構成され、（ｇ）前記フックと、前記支持部材と、前記手掛け部材と、前記ラッチとで施錠機構が構成されていることを特徴としている（請求項６）。
【００１６】
上記サッシ用錠装置の好ましい例では、引戸の戸先側縦框の室内側に、縦枠側に開口を有し、室内側に開口する凹部を有する錠箱を取り付けるとともに、その錠箱の前記凹部にその錠箱内に突出する作用片を有する手掛け部材を縦枠に対して遠近方向に移動可能に、かつ、遠近方向の中間位置に復帰されるように取り付け、支持部材を室内方向に付勢して設け、邪魔部材を前記支持部材が定位置に存在する時に前記錠箱内の前記開口を塞ぐ位置に設け、前記支持部材の室内面に、前記手掛け部材を前記縦枠に近付く方向又は前記縦枠から遠ざかる方向に移動した時に、前記手掛け部材により押されて前記支持部材を付勢力に抗して室外方向に移動させるテーパ付きブロックを設け、フック方向に面する傾斜面とその傾斜面の端部に連なる係止あごとを備えたラッチを前記支持部材の縦枠側の端部に設け、
引戸を閉めた時は、前記フックが前記ラッチの傾斜面に当たってそのラッチを前記フックとの係止を解除可能な位置に移動させ、引戸をさらに閉めた時は前記係止あごを前記フックに係止することにより施錠され、
引戸を開ける時は、前記手掛け部材を前記縦枠から遠ざかる方向に移動したときに前記テーパ付きブロックを介して前記ラッチを係止の解除が可能な位置に移動させることにより解錠されることを特徴とする（請求項７）。
【００１７】
上記第２の目的を達成するための本発明に係るサッシ用錠装置は、施錠阻止機構と施錠機構とからなり、
前記施錠阻止機構は、窓枠の縦枠の戸当り面に突設され、上面に開口する凹部を有するフックと、引戸の戸先側縦框の室内側に取付けられ、前記縦枠側に開口する凹部を有する錠箱と、ブロック状に形成されて、その錠箱内に前記凹部の上側において昇降自在に保持され、下端部に前記フック方向に面する傾斜面を有するとともに、前記縦枠から遠い側ほど低くなる傾斜孔を有し、下端部が前記凹部に突出するように付勢されているラッチと、ブロック状に形成されて、前記錠箱内に前記凹部の下側において昇降自在に保持され、前記縦枠から遠い側ほど低くなる傾斜孔を有し、上端部が前記凹部に突出するように付勢されている邪魔部材と、前記錠箱の前記ラッチに対して前記縦枠と反対側に室内側から操作可能に設けられ、前記縦枠に対して遠近移動可能に備えられた手掛け部材と、前記手掛け部材を前記縦枠に対して遠近両方向に付勢して中間位置に保持する付勢部材と、前記ラッチの傾斜孔に摺動自在に挿通した軸に一端が結合され、他端が前記手掛け部材の前記縦枠と反対側において係合されている第１連繋部材と、前記邪魔部材の傾斜孔に摺動自在に挿通した軸に一端が結合され、他端が前記手掛け部材の前記縦枠と同一側において係合されている第２連繋部材とで構成することもできる（請求項８）。
【発明の効果】
【００１８】
請求項１の発明によれば、室内側で手掛け部材を縦枠方向に押して引戸を閉める動作をするだけで、引戸を閉めると、ラッチがフックに係止されるので、引戸が閉まると同時に施錠される。すなわち、錠装置自体の操作が不要である。そして、縦枠に弾性気密材が装着されていても、片手のみで引戸の閉めと施錠ができる。また、手掛け部材を縦枠から遠さかる方向に移動すると、ラッチがフックから係止解除可能な位置に後退するので、手掛け部材を引戸を開ける方向に押すだけで、解錠と開放が可能である。
【００１９】
請求項２の発明によれば、ラッチと受動片が支持部材に設けられるので、構成及び製造が簡単である。
【００２０】
請求項３の発明によれば、戸先側縦框に取り付けられる部材が一つの錠箱に集約的に取り付けられるので、引戸に取り付けられた状態の外観が簡素に見え、取付状態が安定し、縦框に対する取付も容易に、かつ、堅固にできる。
【００２１】
請求項４の発明によれば、請求項１の発明と同様の効果が奏されるほか、ラッチがブロック状に形成され、錠箱内に昇降自在に保持されるので、施錠状態が高い安定性を持って維持される。
【００２２】
請求項５の発明によれば、ラッチを付勢する付勢部材と手掛け部材を付勢する付勢部材の一方で他方を兼ねているので、構成が簡単になり、コスト削減ができる。しかし、両方の付勢部材を用いる場合は、ラッチ及び手掛け部材の移動が軽快になる。
【００２３】
請求項６の発明によれば、室内側で引戸を閉める時は、手掛け部材に力が加えられて邪魔部材が許容位置に後退させられるので、フックが縦框の開口に進入してラッチと係合し、施錠される。従って、引戸を単に閉めるだけで自動的に施錠される。縦枠側に弾性気密材が装着されていても、片手で閉戸・施錠ができる。そして、施錠されている引戸の手掛け部材に引戸開放方向の力を加えると、ラッチが係止を解除する位置に移動されるので、戸を開ける動作のみで解錠と引戸の開放が可能である。
また、室外側で引戸を閉める場合は、手掛け部材は操作されないので、引戸が閉鎖位置まで移動しても、邪魔部材は邪魔位置に保持されるため、フックは錠箱の開口内に進入できないので、施錠されない。従って、例えばデッキなどの屋外側に出た人が引戸を閉めた際に施錠されて室内に戻ることができない事態が起きることがない。屋外側からは閉められている引戸の手掛け部材を操作することはできないので、解錠されない。
【００２４】
請求項７の発明によれば、請求項６の発明の場合と同様の効果が奏されるほか、手掛け部材、邪魔部材及びラッチの移動が円滑に行われる。また、フックが錠箱の凹部に嵌合してラッチを嵌入させるので、施錠時の引戸のぐらつきが軽減される。
【００２５】
請求項８の発明によれば、施錠阻止機構と施錠機構を一つの錠箱内にコンパクトに収容して実現することができる。
【発明を実施するための最良の形態】
【００２６】
次に、本発明の実施の形態について、図面を用いながら説明する。
図１は本発明に係るサッシ用錠装置が適用される窓の種類の一例を示す図であり、（ａ）は腰高窓の正面図、（ｂ）は掃き出し窓の正面図である。これらの図において、１，２；３，４は、それぞれ窓枠ＷＦを構成する上下の横枠及び左右の縦枠であり、Ｄ１，Ｄ２は、その窓枠内に引き違いに建て付けられた引戸であり、各引戸Ｄ１，Ｄ２の戸先側縦框５，６の室内側部分と縦枠３，４の戸当たり部分に、本発明に係るサッシ用錠装置Ｌ（以下、単に錠装置という。）が取り付けられる。
【００２７】
錠装置Ｌは、腰高窓、掃き出し窓のいずれの場合も、室内床面に起立する人が手で解錠、施錠の操作をし易い高さ位置に取り付けられることは、言うまでもない。そして、後述される手掛け部材の長さ（高さ）は、図１（ａ）（ｂ）に示すように、希望に応じて長短任意である。
【００２８】
また、本発明に係る錠装置Ｌの適用対象は、図１（ａ）（ｂ）に示すように、窓の引違い戸Ｄ１，Ｄ２に限らず、玄関の引違い戸、あるいは、窓又は勝手口の片引戸にも適用可能である。以下、引戸を単に戸いう。
【００２９】
図２ないし図４は主として腰高窓に用いられる本発明の錠装置の一例を示す図であり、図２は窓枠の縦枠と戸の戸先側縦框の横断面図、図３は錠箱の外観を示す図であり、（ａ）は戸当たり面側から見た側面図、（ｂ）は室内側から見た正面図、図４は錠装置の全体構成を示す要部の横断面図である。
【００３０】
図２において、１０は、縦枠３の戸当り面に設けられたフック(係止部材)である。フック１０は、例えば断面ほぼＴ字形の形材を短く切断して形成するか、金属板の曲げ加工などにより製作することができる。そして、フック１０は、縦枠３に当接して固着される固着部１１を有し、その固着部から戸Ｄ１の方向に直角に突出している。フック１０は、好ましくは、後記ラッチ(被係止部材)３０が滑らかに乗り越えることを可能にするため、先端が湾曲又は傾斜を有するように加工されている。
【００３１】
また、図２において、２０は、戸先側縦框５の室内側部分に取り付けられた錠箱であり、図３，図４に示すように、縦枠３に対面する側面に開口２１を有するとともに、室内側の正面中央に室内方向に開口する凹部２２を有する。正面壁２３と背面壁２４の間には、錠装置のフック１０以外の後述される構成部材を収容することができる空間２５を有している。そして、凹部２２には、横断面形状がハット型の手掛け部材２６が、その凹部の中で水平方向に移動自在に、すなわち、縦枠３に対して遠近移動自在に備えられている。
【００３２】
手掛け部材２６は、形材を図１（ａ）又は（ｂ）に示された長さに切断して形成してある。そして、その手掛け部材２６の背面に突設した作用片２７を錠箱の凹部２２の底面において正面壁２３に形成した横長孔２８に、その長さ方向に移動自在に貫通してあり、一例として、手掛け部材２６の側面と凹部２２の側面との間に装着された付勢部材である板バネ２９により付勢されて、手掛け部材２６は凹部２２内の縦枠側端部に当たって止められている。もちろん、手掛け部材２６は、凹部２２から抜脱しないように保持部材(不図 示)により保持されている。
【００３３】
錠箱２０の空間２５内には、開口２１と反対側の端部付近から開口２１に向けて伸長する支持部材３０が、設けられている。支持部材３０は、２枚の葉を有するヒンジ状に形成され、一方の葉が背面壁２４に固着され、一例として２枚の葉の間にコイルばねを介在させて、支持部材３０の自由端側が正面壁２３方向に付勢されている。そして、その支持部材３０の自由端部にラッチ３１が、一例として一体に設けられている。ラッチ３１は、縦枠３側に傾斜面３１ａを有し、縦枠３と反対側に係止あご３１ｂを有するブロック状に形成されている。支持部材３０には、また、手掛け部材２６の作用片２７に対して縦枠３と反対側の位置の正面側にテーパ付きブロック３２が固着されている。テーパ付きブロック３２は、楔状に形成されていて、縦枠３から遠ざかるにつれて正面壁２３に接近する傾斜面を有している。
【００３４】
そして、手掛け部材２６の作用片２７の先端は支持部材３０に近接又は当接され、ラッチ３１は錠箱２０の開口２１の中央付近に保持されていて、戸Ｄ１を閉めるときは、フック１０が開口２１に進入して、そのフックの先端がラッチ３１の傾斜面３１ａに当たるように位置決めされている。従って、戸Ｄ１を閉めると、ラッチ３１の傾斜面３１ａにフック１０の先端が当たることにより、図４に鎖線で示すように、ラッチ３１は背面壁２４側に移動されて、戸Ｄ１がさらに閉め方向に移動されるとともに、ラッチの傾斜面３１ａがフック１０の先端を乗り越え、ラッチの係止あご３１ｂがフックの先端を過ぎた時に、支持部材３０の復帰により係止あご３１ｂがフック１０に係止し、施錠状態となる。
【００３５】
すなわち、戸Ｄ１を閉める動作だけで、ラッチ３１が自動的にフック１０に係止されて、施錠される。閉鎖中の戸Ｄ１のがたつきを防止するため、好ましい例では、錠箱２０の開口２１付近の内側に、進入したフック１０に対して押圧する押圧部材、例えば、板バネ３３が備えられている。３４は錠箱２０を縦框５に固着するための取付材である。
【００３６】
また、テーパ付きブロック３２は、作用片２７の移動軌跡上に設けてあるため、手掛け部材２６を縦枠３から離れる方向に、すなわち、施錠されている戸Ｄ１を開ける方向（図４において右方向）に押して移動すると、作用片２７がテーパ付きブロック３２の傾斜面を押すことにより、支持部材３０を錠箱２０の背面壁２４方向に押しやる。従って、ラッチ３１も背面壁２４側に移動されて、フック１０との施錠状態から解放され、解錠される。従って、手掛け部材２６を引き続き縦枠３から離れる方向に押して、戸Ｄ１を開けることができる。つまり、戸Ｄ１を開ける動作のみで自動的に解錠することが出来る。
【００３７】
図２−４には、図１の左側の戸Ｄ１についてのみ示し、説明したが、右側の戸Ｄ２にも同様の錠装置が取り付けられる。また、上記の例では、図４においてフック１０が支持部材３０よりも室内側に設けられているため、支持部材３０が室内方向に付勢さりているが、フック１０を支持部材３０の室外側に設け、支持部材を室外方向に付勢させても良い。本発明に係る錠装置を取り付けた場合は、従来のクレセント錠は、施錠のためには必要でないが、召し合わせ框７同士の間に気密性を確保するために併設すると良い。後述される実施の形態においても同様である。
【００３８】
上記ラッチ３１、テーパ付きブロック３２を設けた支持部材３０及び手掛け部材２６は、錠箱２０以外の取付部材を用いて縦框５，６に取り付けることも可能であるが、錠箱２０に収容して取り付ける場合は、取付及び輸送が容易であるとともに、取付け後の戸の外観に乱雑な印象を与えないので、好ましい。
【００３９】
図５ないし図７も、主として腰高窓に用いられる本発明の錠装置Ｌの他例を示す図であり、図５は縦枠と戸の戸先側縦框の横断面図、図６は図５のＡ−Ａ線断面図であり、図７は図６のＢ−Ｂ線断面図である。
【００４０】
この錠装置は、基本的には先の実施の形態と同様に、縦枠３の戸当り面に突設される一つのフック１０Ｅと、戸先側縦框５に取付けられる錠箱２０Ｅと、その錠箱に設けられるラッチ３１Ｅと、そのラッチを駆動させる手掛け部材２６Ｅとからなっている。
【００４１】
フック１０Ｅは、ブロック状に形成され、固着部１１において縦枠３に固着され、上面に開口する凹部１２を有する。錠箱２０Ｅは、フック１０Ｅに対向する面に開口する凹部２１Ｅを有し、その凹部の上側に連通して形成してある室３５内にラッチ３１Ｅが昇降自在に収容されている。ラッチ３１Ｅは、ブロック状に形成され、その下端部のフック１０Ｅ側に図４のラッチ３１の傾斜面３１ａと同様の傾斜面３１ａＥを、その傾斜面のフック１０Ｅと反対側に図４のラッチ３１の係止あご３１ｂと同様の係止あご３１ｂＥを有している。また、ラッチ３１Ｅには、その上部にフック１０Ｅから遠ざかるほど低くなる傾斜孔３１ｃが設けられ、その傾斜孔３１ｃ内に軸３６が傾斜孔３１ｃの傾斜方向に摺動自在に挿通されている。そして、ラッチ３１Ｅは、錠箱２０Ｅの上面壁とラッチ３１Ｅの上端面との間に介在された付勢部材、例えば板バネ又はコイルバネ３１ｄにより下方に付勢されている。
【００４２】
錠箱２０Ｅは、図４の錠箱２０の凹部２２と同様の凹部２２Ｅを有し、その凹部内に室内側に突出する手掛け部材２６Ｅが、その屋外側端部に設けてある軸部３７を凹部２２Ｅの底壁に形成してある横長孔２８Ｅに水平方向に摺動自在に挿通して、縦枠３に対して遠近移動自在に備えられている。そして、一端がラッチ３１Ｅの軸３６に結合されている
連繋部材３８が手掛け部材２６Ｅの背面に突設された軸３７の上面又は下面をその軸３７を越えた位置まで延び、その連繋部材３８の他端部を軸３７の背後において正面方向に屈曲させて係合部３８’が形成されている。なお、凹部２２Ｅの底壁には、手掛け部材２６Ｅの高さ方向中央に関して横長孔２８Ｅと対称位置に同様の横長孔２８Ｅ’が形成され、その横長孔２８Ｅ’内に手掛け部材２６Ｅの背面に突設した軸３７と同様の軸(不図示)を摺動自在に嵌合することにより、手掛け部材２６Ｅの移動安定性を高めてある。
【００４３】
上記構成により、ラッチ３１Ｅは付勢部材３１ｄにより下方に付勢されているため、軸３６が傾斜孔３１ｃの上端部に位置するまで下降されて、ラッチ３１Ｅの下部が図６に示されているように、凹部２１Ｅ内に突出され、その傾斜面３１ａＥがフック１０Ｅの上端部付近と同じ高さに存在するように保持されている。この状態で、戸Ｄ１を図６において左方向に移動して閉めると、フック１０Ｅが錠箱２０Ｅの凹部２１Ｅ内に進入し、フック１０Ｅの先端がラッチ３１Ｅの傾斜面３１ａＥに当たるため、ラッチ３１Ｅは退避させられ、フック１０Ｅがさらに凹部２１Ｅ内に進入する。このとき、連繋部材３８の他端部の係合部３８’は手掛け部材の軸３７より縦枠３から遠ざかる方向に移動する。そして、所定の位置まで進入すると、ラッチ３１Ｅの下部がフックの凹部１２に位置的に合致して嵌入する。これにより、施錠される。これと同時に、傾斜孔３１ｃと軸３６との協働作用により連繋部材３８は当初の位置に復帰し、係合部３８’は手掛け部材の軸３７と係合する。
【００４４】
次に、閉鎖されている戸Ｄ１の手掛け部材２６Ｅに縦枠３から離れる方向、すなわち、戸を開ける方向の力を加えると、連繋部材３８が同方向に引かれるため、軸３６と傾斜孔３１ｃとの協働作用によりフックの凹部１２に嵌入しているラッチ３１Ｅが持ち上げられ、フックの凹部１２から脱出される。すなわち、解錠されるので、手掛け部材２６Ｅに引き続き力を加えると、手掛け部材２６Ｅが横長孔２８Ｅ、２８Ｅ’の端部まで移動した後に加えられる力が、戸Ｄ１を開放する力となる。従って、手掛け部材２６Ｅを縦枠３から離れる方向に押すと、錠装置が自動的に解錠され、かつ、戸Ｄ１を開放することができる。錠装置の解錠動作と戸の開放動作を各別に行なう必要がない。そして、片手の操作のみで解錠と開放ができる。
【００４５】
続いて、本発明の錠装置Ｌが主として掃き出し窓に適用される場合の実施の形態について、図８以下の図面を用いて説明する。
図８は、縦枠と戸の戸先側縦框の横断面図、図９（ａ）は錠箱の縦枠側から見た側面図、図９（ｂ）は錠箱の室内側から見た正面図、図１０は図９（ｂ）のＣ−Ｃ線に対応する断面図、図１１は図９（ｂ）のＤ−Ｄ線に対応する断面図である。図２〜４図の部材と同一又は相当の部材には、同一の符号を付してある。
【００４６】
この実施の形態における錠装置は、図１０に示された施錠機構と、図１１に示された施錠阻止機構とを有する。
【００４７】
錠箱２０’の縦枠側の側面には、図４の場合よりも上下方向に長い開口２１が設けられ、室内側正面の凹部２２は、正面壁２３の上端部付近から下端部付近まで連続され、この凹部に備えられる手掛け部材２６も同様に上下方向に延長されている。手掛け部材２６は、その左右両側の側面と凹部２２の両側の側面との間に装着された付勢部材、例えば板バネ２９ａ，２９ｂにより縦枠３の遠近方向に付勢されて、凹部２２の横方向中間位置に保持されている。
【００４８】
また、この実施の形態においては、錠箱２０’の開口２１の長さに対応する長さを有する縦枠側のフック１０が錠箱２０’の開口２１に進入可能な位置に取り付けられている。
【００４９】
そして、手掛け部材２６の背面には、手掛け部材２６の上下２カ所に作用片２７ａ，２７ｂが設けられ、凹部２２の底壁の上下に形成された横長孔２８ａ，２８ｂに摺動自在に挿通され、錠箱２０’内の空間２５に突出されている。
【００５０】
錠箱２０’の空間２５内には、図１０に示すように、図４におけると同様の支持部材３０が設けられている。この実施の形態においては、支持部材３０は空間２５内を上下方向に延長され、その支持部材３０の下半部には、図４に示されたものとほぼ同一の構成を有する施錠機構が備えられている。手掛け部材２６の両側に板バネ２９ａ，２９ｂが設けられて、手掛け部材２６が中立位置に保持される点のみが異なる。そして、手掛け部材２６を縦枠から遠ざかる方向に移動させると、作用片２７ａがテーパ付きブロック（第１テーパ付きブロック）３２ａに作用してラッチ３１が施錠可能位置から解錠可能位置に移動される点も同一である。
【００５１】
支持部材３０の上半部には、図１１に示すように、その支持部材３０の自由端に邪魔部材３９が設けられている。邪魔部材３９は、直方体状に形成され、掛け部材２６が中間位置に存在するときは、フック１０の開口２１への進入を阻止する邪魔位置に保持されている。
【００５２】
支持部材３０の中間位置であって手掛け部材２６の背面の作用片２７ａよりも縦枠側にわずかに寄った位置に、テーパ付きブロック（第２テーパ付きブロック）３２ｂが設けられている。このテーパ付きブロック３２ｂは、縦枠側に近い側ほど錠箱２０’の正面壁に接近する傾斜面を有している。これにより、手掛け部材２６を縦枠３方向に移動すると、戸Ｄ１が閉められるとともに、作用片２７ｂがテーパ付きブロック３２ｂの傾斜面に作用して支持部材３０を錠箱２０’の背面壁２４方向に押しやるため、邪魔部材３９が背面壁２４側の許容位置に反らされ、開口２１が開放される。従って、縦枠３に接近した錠箱の開口２１からフック１０が進入する。しかし、手掛け部材２６に手を掛けずに戸Ｄ１を縦枠方向に移動させても、邪魔部材３９が開口２１ａの邪魔位置に保持されたままであるので、フック１０は錠箱の開口２１から進入することができない。
以上が施錠阻止機構である。
【００５３】
上記構成により、開いている戸Ｄ１の手掛け部材２６に室内側で閉め方向の力を加えるときは、上記のように作用片２７ｂ及びテーパ付きブロック３２ｂを介して支持部材３０が背面壁２４方向に移動され、邪魔部材３９とラッチ３１が背面壁側に反らされるので、フック１０が開口２１に進入可能になるとともに、閉められる戸Ｄ１のラッチ３１がフック１０を乗り越え、完全閉戸時にラッチ３１がフック１０と係合して施錠される。
また、閉鎖されている戸Ｄ１の手掛け部材２６に開け方向の力を加えるときは、作用片２７ａ及びテーパ付きブロック３２ａを介して支持部材３０が背面壁２４方向に移動され、ラッチ３１がフック１０と係合する位置から反らされて解錠され、邪魔部材３９が許容位置に反らされるので、戸Ｄ１をそのまま開放することができる。
【００５４】
上記の構成において、フック１０は、邪魔部材３９の高さ寸法に合致する一つの上部フックと、ラッチ３１の高さ寸法に合致する一つの下部フックとに分割して取付けても良い。また、施錠機構と施錠阻止機構は、そのいずれを上側に取り付けるかは任意である。
【００５５】
施錠機構と施錠阻止機構を備えた錠装置は、図１２ないし図１４に示す例のように構成することもできる。図１２は縦枠と戸先側縦框の断面図、図１３は図１２のフックと錠箱の縦断面図、図１４は図１３のＥ−Ｅ線断面図である。
【００５６】
この例では、図５のフック１２Ｅ及び錠箱２０Ｅと同じフック１２Ｅ及び錠箱２０Ｅを用い、錠箱２０Ｅの凹部２１Ｅの上側には、図６及び図７に示されたものと同一の構造の施錠機構が備えられ、凹部２２Ｅの下側に、施錠阻止機構として、図１３及び図１４に示されている邪魔部材３９Ｅ、連繋部材３８Ｅを設け、邪魔部材３９Ｅに形成してある傾斜孔３９ａに連繋部材３８Ｅの一端に固着した軸３６Ｅを摺動自在に挿入し、その連繋部材の他端に設けた係合部３８’Ｅを手掛け部材２６の縦枠側の至近位置に備えて構成されている。
【００５７】
上記構成により、室内側において、戸Ｄ１の手掛け部材２６に閉戸方向の力を加えると、図１５（ａ）に示すように、連繋部材３８Ｅが縦枠３向に移動されるため、傾斜孔３９ａと軸３６Ｅとの協働作用により凹部２２Ｅの邪魔位置に存在する邪魔部材３９Ｅが、図１５（ｂ）に示すように下降し、フック１０Ｅが錠箱の凹部２１Ｅに進入可能になる。従って、戸Ｄをさらに閉鎖方向に移動すると、フック１０Ｅがラッチ３１Ｅの傾斜面に当たってラッチを上昇させるため、ラッチ３１Ｅはフックの先端を乗り越えて凹部１２に合致したとき、ラッチがその凹部に嵌入して施錠される。すなわち、手掛け部材を閉戸方向に押すだけで、戸が閉まったときにラッチがフックに嵌入して施錠される。その後、手掛け部材２６から手を離すと、手掛け部材２６は図１５（ｃ）に示すように中間位置に復帰する。このとき、邪魔部材３９Ｅは支持部材３０Ｅ’により上方に付勢されているが、フック１０Ｅの下面に当接しているだけであるから、障害にならない。
【００５８】
他方、戸Ｄ１を屋外側から閉めるときは、図１５（ａ）に示すように、邪魔部材３９Ｅが邪魔位置に保持されるため、フック１０Ｅは凹部２１Ｅに進入できない。従って、施錠されない。
【００５９】
そして、図１６（ａ）に示すように、閉鎖状態にある戸Ｄ１の手掛け部材２６に開方向の力を加えて移動させると、図１６（ｂ）に示すように、手掛け部材２６から力を受ける連繋部材３８、軸３６及びラッチの傾斜孔３１ｃを介してラッチ３１Ｅが上昇されるため、解錠され、そのまま戸Ｄ１を開けることができる。なお、上方に付勢されている魔部材３９Ｅはフック１０Ｅの下面に当接しているだけであるから、障害にならない。戸の開放後、手掛け部材２６から手を離すと、図１６（ｃ）に示すように、手掛け部材２６は中間位置に復帰する。
【図面の簡単な説明】
【００６０】
【図１】本発明に係るサッシ用錠装置が適用される窓の種類の一例を示す図であり、（ａ）は腰高窓の正面図、（ｂ）は掃き出し窓の正面図。
【図２】窓枠の縦枠と戸の戸先側縦框の横断面図。
【図３】錠箱の外観を示す図であり、（ａ）は戸当たり面側から見た側面図、（ｂ）は室内側から見た正面図。
【図４】錠装置の全体構成を示す要部の横断面図。
【図５】縦枠と戸の戸先側縦框の横断面図。
【図６】図５のＡ−Ａ線断面図。
【図７】図６のＢ−Ｂ線断面図。
【図８】縦枠と戸の戸先側縦框の横断面図
【図９】（ａ）は錠箱の縦枠側から見た側面図、（ｂ）は錠箱の室内側から見た正面図。
【図１０】図９（ｂ）のＣ−Ｃ線に対応する断面図。
【図１１】図９（ｂ）のＤ−Ｄ線に対応する断面図。
【図１２】縦枠と戸先側縦框の断面図。
【図１３】図１２のフックと錠箱の縦断面図。
【図１４】図１３のＥ−Ｅ線断面図。
【図１５】施錠時の作用を説明する図。
【図１６】解錠時の作用を説明する図。
【符号の説明】
【００６１】
Ｌ          錠装置
３，４      縦枠
５，６      戸先側縦框
１０        フック
２０，２０´，２０Ｅ    錠箱
２１        錠箱の縦枠側の開口
２１Ｅ      錠箱の縦枠側の凹部
２２        錠箱の室内側の凹部
２３        正面壁
２４        背面壁
２５，２５Ｅ  空間
２６，２６Ｅ  手掛け部材
２７，２７ａ，２７ｂ  作用片
２９，２９ａ，２９ｂ  板バネ（付勢部材）
３０              支持部材
３１，３１Ｅ      ラッチ
３１ａＥ          傾斜面
３１Ｅ，３１ｂＥ  係止あご
３６，３６Ｅ      軸
３８，３８Ｅ      連繋部材
３９，３９Ｅ      邪魔部材
【図１】
2009243146.tif 000003
【図２】
2009243146.tif 000004
【図３】
2009243146.tif 000005
【図４】
2009243146.tif 000006
【図５】
2009243146.tif 000007
【図６】
2009243146.tif 000008
【図７】
2009243146.tif 000009
【図８】
2009243146.tif 000010
【図９】
2009243146.tif 000011
【図１０】
2009243146.tif 000012
【図１１】
2009243146.tif 000013
【図１２】
2009243146.tif 000014
【図１３】
2009243146.tif 000015
【図１４】
2009243146.tif 000016
【図１５】
2009243146.tif 000017
【図１６】
2009243146.tif 000018